(57)【要約】【課題】物理療法機器を、確実、且つ容易に、患部に取り付け可能とすること。【解決手段】本体１に取り付けられたベルト２を仮止めするための仮止め部３と、本固定するための本固定部４を有し、ベルト２を開口部９に通した後で、仮止め部３で仮止めしつつ、本固定部４で確実に固定する。また、固定には、面ファスナーを用いている。この構成により、患部の形状や大きさに係らず、本体１を的確な位置に、しっかりと固定することができる。【選択図】図１
2019024927.tif 000002
【特許請求の範囲】
【請求項１】
本体と、前記本体に取り付けられたベルトとを備え、前記本体は、前記ベルトを仮止めするための仮止め部と、本固定するための本固定部を有してなる物理療法機器。
【請求項２】
前記本体は、前記ベルトを通すための開口部を有してなる請求項１記載の物理療法機器。
【請求項３】
前記本体の仮止め部は、前記開口部に近接して配されてなる請求項２記載の物理療法機器。
【請求項４】
前記仮止め部と本固定部は、前記本体上の異なる面に各々配されてなる請求項１〜３のいずれか１項に記載の物理療法機器。
【請求項５】
前記仮止め部と本固定部は、面ファスナーにより構成されてなる請求項１〜４のいずれか１項に記載の物理療法機器。
【請求項６】
前記ベルトは、その両面に面ファスナーを有し、前記仮止め部と本固定部は、前記ベルトの両面に配された面ファスナーの異なる面と密着する構造としてなる請求項５に記載の物理療法機器。
【請求項７】
前記本固定部は、複数個所に面ファスナーの密着箇所を有してなる請求項５または６に記載の物理療法機器。
【請求項８】
前記仮止め部の面ファスナーの密着強度を、前記本固定部のものと比較して強くしてなる請求項５〜７のいずれか１項に記載の物理療法機器。
【請求項９】
前記仮止め部の面ファスナーの密着面積を、前記本固定部のものと比較して狭くしてなる請求項５〜８のいずれか１項に記載の物理療法機器。
【発明の詳細な説明】
【技術分野】
【０００１】
本発明は、物理療法機器に関するものであり、特に、その人体への装着に関するものである。
【背景技術】
【０００２】
物理療法機器は、例えば、特許文献１に記載されるように、袋状パッドの表面材を起毛した布材とし、伸縮性ベルトの非接続側最端部と接続部との間に前記起毛した布材と着脱可能な固定部材を複数個所に形成した温熱治療パッド等があった。当該温熱部を患者の患部に当てることにより、その血行促進等を図るものである。本体の形状等は、様々な大きさや形のものが存在するが、患部の面積等を考慮して、温熱部を有するものでは、B５〜A４サイズ程度のものが一般的には多い。当該物理療法機器の本体を患部付近に載置するには、例えば、腰付近を温熱治療する際には、腰付近に当てた本体の上方から、ベルトを腰周囲に巻きつけるように配することで、載置するものが一般的であった。
【０００３】
また、例えば、肩部を温めるには、本体を肩に当てるとともに、本体に取り付けたベルトを肩の周囲に巻きつけることで、本体を患部に載置していた。
【先行技術文献】
【特許文献】
【０００４】
【特許文献１】特開2001-149399号
【発明の概要】
【発明が解決しようとする課題】
【０００５】
上記従来の構成では、ベルトで本体を患部に固定する際に、本体を患部に押さえ付けながら、ベルトを胴体周囲等に巻きつける必要がある。具体的には、片方の手で本体を抑えながら、もう一方の手でベルトを巻き付けて固定する必要があるため、ベルトを巻きつける際に、本体が患部からずれてしまい、あるいは、ベルトの締め付けが緩くなる場合があった。特に、肩など、複雑な形状を有する患部に載置する場合や、腕や肩付近などで、片方の腕の自由が利きにくい箇所に取り付ける場合には、的確に患部に取り付けるのが甚だ困難であった。
【課題を解決するための手段】
【０００６】
上記課題を解決するために、本発明の物理療法機器は、本体に、ベルトを仮止めするための仮止め部と、本固定するための本固定部を有してなるものである。
【発明の効果】
【０００７】
上記構成により、本発明の物理療法機器は、これを患部に取り付ける際に、仮止め部を用いて、本体を患部に仮止めできるので、本体を的確に患部に装着することが可能となる。
【図面の簡単な説明】
【０００８】
【図１】本発明の一実施形態を示す外観斜視図
【図２】同実施形態を示す本体を装着面から見た図
【図３】同実施形態における温熱部を示す図
【図４】同実施形態における使用方法の説明に関する動作説明図
【図５】同説明の次のステップに関する動作説明図
【図６】同説明の更に次のステップに関する動作説明図
【図７】同説明の更に次のステップに関する動作説明図
【図８】同説明の更に次のステップに関する動作説明図
【図９】同実施形態における首付近に取り付けた際の説明図
【図１０】従来の技術に関わる物理療法機器を示す図
【発明を実施するための形態】
【０００９】
以下、本発明の物理療法機器の実施の一形態について、図１〜９を用いて説明する。図１において、本体１には、その端部付近にベルト２が付着している。当該ベルト２は、本体１を患部に固定する際に、患者の胴体や肩付近に巻き付けるために用いる。ここで、本体１には、ベルト２を仮止めするための仮止め部３と本固定するための本固定部４を設ける。また、本体１には、患部に接する装着面５と、その反対側の外部面６があり、ベルト２は、その外部面６に縫い付けてある。
また、本体１には、その内部に温熱部を挿入して使用する。図２に示したものは、本体１の内部に挿入するための温熱部７であり、電源コード８に接続された電熱線（図示せず）に電流を流すことにより加熱する。この際、温度を調整するための装置（図示せず）を組み込んでいるが、必要に応じて、電熱線と温熱部の外装の間に保温材（図示せず）を配することで、温熱部７の温度を安定させることも可能である。さらに、保温材の種類によっては、例えば、マイクロビーズ等を用いた場合は、そのクッション効果を持たせることも可能である。
【００１０】
なお、マイクロビーズ等を詰め込む場合には、クッション効果とともに、本体１の柔軟性を保つ必要がある。具体的には、マイクロビーズを詰め込みすぎた場合、本体１を、例えば患者の首の周囲に押し当てる際に、首の径に本体１を沿わせることが困難となる。
具体的には、本実施形態に示すマイクロビーズの使用は、一般的なマイクロビーズを用いたクッション類とは異なり、床や壁などの硬質面と身体の間に置く緩衝材の役割を担うものでは無い。そのため、ヒーターを身体へ密着させる際の「押し付け材」としてマイクロビーズクッションを用いている。詳細には、一般のクッションでは身体の重さと硬質面から受ける反力で、その間のクッションが身体に密着するが、この際の硬質面等から受ける反力はかなり大きなものとなる。しかし、第９図に示すように、本件はベルト２を引っ張る張力と首の反力を用いて、物理療法機器を身体に密着させる必要がある。その結果、硬質面からの反力等の強い力を利用できないため、クッションの内圧を低くすることで、クッション自身がまっすぐな状態を保てない程度のものとする必要がある。
【００１１】
また、ビーズの流動する方向を長手方向に限定するとともに、本体の外周部であるアプリケーターカバーを長手方向にのみ伸縮する素材を選択することで、ビーズが少量であっても、長手方向の先端にまでマイクロビーズを行き渡らせることができる。また、市販のクッションでは、マイクロビーズの偏りを防ぐため、クッション内部を分割する仕切りを設けることがあるが、本実施形態の物理療法機器の構造では、長手方向の先端まで、ビーズを確実に行き渡らせる必要があるため、あえて仕切りを設けていない。
【００１２】
また、従来の物理療法機器において、例えば、ヒーターを身体に押し付ける役割を担う「押し付け材」は、比較的、大きな基材であったので、円筒形や２つ折などの単純な屈曲が為し得るに過ぎず、２つ折りした後で更に別方向に２つ折りするなどの複雑な屈曲は実現困難であり、首への装着にあたり、浮きや角が、首に当たって痛くなる等の問題を発生させていた。「押し付け材」を起点に、押し付け材と身体の間にある「ヒーター」から「身体」に力が伝わり、その反力と合わさってヒーターが屈曲し身体に沿うものとなる。一般のクッションの使い方だと、身体が「押し付け材」となりクッションを挟んだ反対にある床などの硬質面が反力を発生させるものになる。
【００１３】
この点、本実施形態のものは、ビーズクッションを採用し、三次元的な屈曲のできる「押し付け材」としており、３次元的な屈曲が可能になったことで、密着する部位が広がった。言い換えれば、比較的、大きめな従来押し付け材を用いると、身体に密着せずに浮いてしまい、曲がらずに辺が当たって痛みを生じることがあったが、本実施形態のマイクロビーズを用いた構造では、適切に本体を首の周囲に固定することができる。
【００１４】
また、図４〜８は、本実施形態に関わる物理療法機器の患者への装着方法を示したものである。患者は、まず、図４に示すように、本体１を患部（この場合は、肩）に当てた状態で、図５に示すように、ベルト２を開口部９に通す。この後、図６に示すように、この開口部９付近の装着面５に取り付けられた仮止め部３（ベルトに配した面ファスナーと異なる凹凸特性を持つ面ファスナー）をベルト２に押し付けて、仮止めを行う。なお、仮止め部３にある面ファスナーの密着強度（凹凸の面ファスナーの離れ難さ）は、本固定部４の密着強度に比べて、若干強めとすることで、小面積のファスナー部であっても、仮止め本来の機能を発揮し易くすることができる。
【００１５】
なお、開口部９の付近に仮止め部３を配することにより、本体１を患部に装着する際に、開口部９の先端が捲れ上がるのを抑制でき、且つ、固定対象の患部が膝などの凸部の径が小さい場合、仮止め部３を設けることで、取付けの際、ベルトを持つ手の持ち替えを容易とし、取付け作業の効率を高めることができる。
また、開口部９にベルト２を通す際に、ベルト２の幅を開口部９の開口幅と、ほぼ同等とすることにより、ベルト２と開口部９の間のあそび（隙間）を抑え、安定した装着を実現することができる。また、ベルト２の側面に配置した２本の非伸縮の補足ベルトの上下の端部を引っ張ることにより、本体１を、より体に沿わせることが容易となる。更に、ベルト２の張力により本体１を身体へ押し付けることにより、振動用のモータを内部に取付けた際、その振動を身体に伝え易くすることができる。
【００１６】
次に、図７に示すように、ベルト２の面ファスナーを、本体１の外部面６に設けられた面ファスナーに重ねることにより、本固定を行うが、ここで、本体の外部面６には、そのほぼ全面に面ファスナーを載置することにより、患部の形状に合わせて、本固定の位置（即ち、ベルトの取り付け位置）を変えることができる。また、本体１を患部に本固定する前に、仮止め部３で仮固定されているため、ベルト２を持つ手と反対側の手が開放されている。そのため、この開放された手で、本体をしっかりと保持しながら、ベルト２の本体１への取付け位置を微調整することができる。その結果、ベルトが緩むことなく、適切な位置に、本体を固定することができる。また、面ファスナーを外す時には、そのメス面を不要に損耗させず、且つ、装着時の体動などで簡単に外れないようにするためには、仮止め箇所も本固定の箇所も、どちらも貼付け時に水平方向への引っ張りには剥がれ難く、垂直方向へは剥がれ易い面ファスナーを用いることが望ましい。
【符号の説明】
【００１７】
１  本体
２  ベルト
３  仮止め部
４  本固定部
５  装着面
６  外部面
９  開口部
【図１】
2019024927.tif 000003
【図２】
2019024927.tif 000004
【図３】
2019024927.tif 000005
【図４】
2019024927.tif 000006
【図５】
2019024927.tif 000007
【図６】
2019024927.tif 000008
【図７】
2019024927.tif 000009
【図８】
2019024927.tif 000010
【図９】
2019024927.tif 000011
【図１０】
2019024927.tif 000012